(57)【要約】  本発明の実施例は測定方法及び関連製品を提供し、前記方法は、ユーザー装置がセル品質及び／又は第１ビーム数に関連する測定閾値を取得することと、前記測定閾値の要件を満たす場合、前記ユーザー装置が測定を開始することと、を含む。本発明の実施例を用いることにより、ＵＥは必要な時刻に測定をタイムリーに開始することができる。
2020529746.tif 000002
【特許請求の範囲】
【請求項１】
測定方法であって、
ユーザー装置がセル品質及び／又は第１ビーム数に関連する測定閾値を取得することと、
前記測定閾値の要件を満たす場合、前記ユーザー装置が測定を開始することと、を含むことを特徴とする測定方法。
【請求項２】
前記測定閾値がセル品質測定閾値及びオフセット量に関連し、前記オフセット量が前記第１ビーム数の関数であることを特徴とする請求項１に記載の方法。
【請求項３】
前記第１ビーム数が第１閾値より大きい場合、前記測定閾値がセル品質測定閾値に関連することを特徴とする請求項１に記載の方法。
【請求項４】
前記オフセット量が前記第１ビーム数及び第２ビーム数に関連し、前記第１ビーム数が品質要件を満たすビーム数であり、前記第２ビーム数が前記ネットワーク機器から送信されたビーム数であることを特徴とする請求項２に記載の方法。
【請求項５】
前記第１ビーム数が第２閾値より小さい場合、前記オフセット量が前記第１ビーム数及びビーム数とオフセット量とのマッピング関係によって決定されることを特徴とする請求項２に記載の方法。
【請求項６】
前記ビーム数とオフセット量とのマッピング関係は前記ネットワーク機器がシグナリングを介して前記ユーザー装置に設定したものであり、又は、前記ビーム数とオフセット量とのマッピング関係は予め決められたものであることを特徴とする請求項５に記載の方法。
【請求項７】
前記測定閾値がセル品質測定閾値及び／又はビーム数測定閾値を含むことを特徴とする請求項１に記載の方法。
【請求項８】
前記測定閾値が前記セル品質測定閾値と前記ビーム数測定閾値を含む場合、前記セル品質測定閾値と前記ビーム数測定閾値のうちの少なくとも１つが要件を満たせば、前記ユーザー装置が測定を開始することを特徴とする請求項７に記載の方法。
【請求項９】
前記ビーム数測定閾値がビーム品質閾値を満たすビーム数の閾値であり、前記ビーム品質閾値がネットワーク機器の設定したものであり、又は、前記ビーム品質閾値が予め決められたものであることを特徴とする請求項７又は８に記載の方法。
【請求項１０】
測定方法であって、
ネットワーク機器が、セル品質及び／又は第１ビーム数に関連する、ユーザー装置が測定を開始するかどうかを決定するための設定された測定閾値を送信することを含むことを特徴とする測定方法。
【請求項１１】
前記測定閾値がセル品質測定閾値及びオフセット量に関連し、前記オフセット量が前記第１ビーム数の関数であることを特徴とする請求項１０に記載の方法。
【請求項１２】
前記第１ビーム数が第１閾値より大きい場合、前記測定閾値がセル品質測定閾値に関連することを特徴とする請求項１０に記載の方法。
【請求項１３】
前記オフセット量が前記第１ビーム数及び第２ビーム数に関連し、前記第１ビーム数が品質要件を満たすビーム数であり、前記第２ビーム数が前記ネットワーク機器から送信されたビーム数であることを特徴とする請求項１１に記載の方法。
【請求項１４】
前記第１ビーム数が第２閾値より小さい場合、前記オフセット量が前記第１ビーム数及びビーム数とオフセット量とのマッピング関係によって決定されることを特徴とする請求項１１に記載の方法。
【請求項１５】
前記ビーム数とオフセット量とのマッピング関係は前記ネットワーク機器がシグナリングを介して前記ユーザー装置に設定したものであり、又は、前記ビーム数とオフセット量とのマッピング関係は予め決められたものであることを特徴とする請求項１４に記載の方法。
【請求項１６】
前記測定閾値がセル品質測定閾値及び／又はビーム数測定閾値を含むことを特徴とする請求項１０に記載の方法。
【請求項１７】
前記測定閾値が前記セル品質測定閾値と前記ビーム数測定閾値を含む場合、前記セル品質測定閾値と前記ビーム数測定閾値のうちの少なくとも１つが要件を満たせば、前記ユーザー装置が測定を開始することを特徴とする請求項１６に記載の方法。
【請求項１８】
前記ビーム数測定閾値がビーム品質閾値を満たすビーム数の閾値であり、前記ビーム品質閾値がネットワーク機器の設定したものであり、又は、前記ビーム品質閾値が予め決められたものであることを特徴とする請求項１６又は１７に記載の方法。
【請求項１９】
ユーザー装置であって、
セル品質及び／又は第１ビーム数に関連する測定閾値を取得し、前記測定閾値の要件を満たす場合、測定を開始するための処理ユニットを備えることを特徴とするユーザー装置。
【請求項２０】
ネットワーク機器であって、
通信ユニット及び処理ユニットを備え、
前記処理ユニットは、前記通信ユニットによって、セル品質及び／又は第１ビーム数に関連する、ユーザー装置が測定を開始するかどうかを決定するための設定された測定閾値を送信することに用いられることを特徴とするネットワーク機器。
【請求項２１】
ユーザー装置であって、
１つ又は複数のプロセッサ、１つ又は複数のメモリ、１つ又は複数の送受信機、及び１つ又は複数のプログラムを備え、
前記１つ又は複数のプログラムが前記メモリに記憶され、且つ前記１つ又は複数のプロセッサにより実行されるように設定され、
前記プログラムが請求項１〜８のいずれか１項に記載の方法におけるステップを実行するための命令を含むことを特徴とするユーザー装置。
【請求項２２】
ネットワーク機器であって、
１つ又は複数のプロセッサ、１つ又は複数のメモリ、１つ又は複数の送受信機、及び１つ又は複数のプログラムを備え、
前記１つ又は複数のプログラムが前記メモリに記憶され、且つ前記１つ又は複数のプロセッサにより実行されるように設定され、
前記プログラムが請求項９〜１６のいずれか１項に記載の方法におけるステップを実行するための命令を含むことを特徴とするネットワーク機器。
【請求項２３】
コンピュータ可読記憶媒体であって、
電子データ交換用のコンピュータプログラムが記憶され、前記コンピュータプログラムによってコンピュータが請求項１〜８のいずれか１項に記載の方法を実行することを特徴とするコンピュータ可読記憶媒体。
【請求項２４】
コンピュータ可読記憶媒体であって、
電子データ交換用のコンピュータプログラムが記憶され、前記コンピュータプログラムによってコンピュータが請求項９〜１６のいずれか１項に記載の方法を実行することを特徴とするコンピュータ可読記憶媒体。
【発明の詳細な説明】
【技術分野】
【０００１】
本発明は通信技術分野に関し、具体的に測定方法及び関連製品に関する。
【背景技術】
【０００２】
第５世代移動通信システム（５Ｇ：５−Ｇｅｎｅｒａｔｉｏｎ）又は新エアインターフェース（ＮＲ：Ｎｅｗ  Ｒａｔｉｏ）において、ビームが多く導入されるため、従来のセルにおけるユーザー装置（ＵＥ：Ｕｓｅｒ  Ｅｑｕｉｐｍｅｎｔ）にビームが見えない状況を変える。５Ｇ又はＮＲにおいて、ＵＥが自身の駐在又はサービスするセルを識別できるだけでなく、自身の駐在又はサービスするビームも識別できる。
【０００３】
ロングタームエボリューション技術（ＬＴＥ：Ｌｏｎｇ  Ｔｅｒｍ  Ｅｖｏｌｕｔｉｏｎ）において、ＵＥが頻繁に測定することを防止するために、ネットワークがＵＥに測定開始閾値ｓ−Ｍｅａｓｕｒｅを設定する。ＬＴＥのプロトコル標準において、Ｓ−Ｍｅａｓｕｒｅの定義はＵＥがいつ測定する必要があるかということである。５Ｇ又はＮＲにおいて、Ｓ−Ｍｅａｓｕｒｅの測定開始をサポートし、サービスセルの品質がＳ−Ｍｅａｓｕｒｅより高い場合、ＵＥが隣接セルのＩＤＬＲ  ＲＳ及びＣＳＩ−ＲＳを測定する必要がないが、ビームが導入されるため、ｓ−Ｍｅａｓｕｒｅによって測定（同一周波数測定及び異周波数測定を含む）を開始するだけで不十分である可能性があり、従って、５Ｇ又はＮＲにおいて、どのようにＵＥに必要な時刻に測定をタイムリーに開始させるかは解決すべき技術的問題である。
【発明の概要】
【発明が解決しようとする課題】
【０００４】
本発明の実施例はＵＥに必要な時刻に測定をタイムリーに開始させる測定方法及び関連製品を提供する。
【課題を解決するための手段】
【０００５】
第１態様では、本発明の実施例は測定方法を提供し、
ユーザー装置がセル品質及び／又は第１ビーム数に関連する測定閾値を取得することと、
前記測定閾値の要件を満たす場合、前記ユーザー装置が測定を開始することと、を含む。
【０００６】
第２態様では、本発明の実施例は測定方法を提供し、
ネットワーク機器がセル品質及び／又は第１ビーム数に関連する、ユーザー装置が測定を開始するかどうかを決定するための設定された測定閾値を送信することを含む。
【０００７】
第３態様では、本発明の実施例はユーザー装置を提供し、
セル品質及び／又は第１ビーム数に関連する測定閾値を取得し、前記測定閾値の要件を満たす場合、前記ユーザー装置が測定を開始するための処理ユニットを備える。
【０００８】
第４態様では、本発明の実施例はネットワーク機器を提供し、通信ユニット及び処理ユニットを備え、
前記処理ユニットは、前記通信ユニットによって、セル品質及び／又は第１ビーム数に関連する、ユーザー装置が測定を開始するかどうかを決定するための設定された測定閾値を送信することに用いられる。
【０００９】
第５態様では、本発明の実施例はユーザー装置を提供し、１つ又は複数のプロセッサ、１つ又は複数のメモリ、１つ又は複数の送受信機、及び１つ又は複数のプログラムを備え、
前記１つ又は複数のプログラムが前記メモリに記憶され、且つ前記１つ又は複数のプロセッサにより実行されるように設定され、
前記プログラムが本発明の実施例の第１態様に記載の方法におけるステップを実行するための命令を含む。
【００１０】
第６態様では、本発明の実施例はネットワーク機器を提供し、１つ又は複数のプロセッサ、１つ又は複数のメモリ、１つ又は複数の送受信機、及び１つ又は複数のプログラムを備え、
前記１つ又は複数のプログラムが前記メモリに記憶され、且つ前記１つ又は複数のプロセッサにより実行されるように設定され、
前記プログラムが本発明の実施例の第２態様に記載の方法におけるステップを実行するための命令を含む。
【００１１】
第７態様では、本発明の実施例はコンピュータ可読記憶媒体を提供し、電子データ交換用のコンピュータプログラムが記憶され、前記コンピュータプログラムによってコンピュータが本発明の実施例の第１態様に記載の方法を実行する。
【００１２】
第８態様では、本発明の実施例はコンピュータ可読記憶媒体を提供し、電子データ交換用のコンピュータプログラムが記憶され、前記コンピュータプログラムによってコンピュータが本発明の実施例の第２態様に記載の方法を実行する。
【００１３】
第９態様では、本発明の実施例はコンピュータプログラム製品を提供し、前記コンピュータプログラム製品はコンピュータプログラムが記憶される非一時的コンピュータ可読記憶媒体を含み、前記コンピュータプログラムによってコンピュータが本発明の実施例の第１態様に記載の方法を実行するように操作することができる。
【００１４】
第１０態様では、本発明の実施例はコンピュータプログラム製品を提供し、前記コンピュータプログラム製品はコンピュータプログラムが記憶される非一時的コンピュータ可読記憶媒体を含み、前記コンピュータプログラムによってコンピュータが本発明の実施例の第２態様に記載の方法を実行するように操作することができる。
【発明の効果】
【００１５】
以上によれば、本案において、設定された測定閾値がセル品質及び／又はビーム数に関連し、ユーザー装置は測定を開始する前に、セル品質だけでなく、ビーム数も参照でき、セル品質のみを参照する場合に比べて、本案ではより多くの参照を導入し、このようにユーザー装置が測定を開始するかどうかを総合的に判断することができ、更にユーザー装置が必要な時刻に測定をタイムリーに開始する。
【００１６】
本願のこれらの態様又は他の態様は以下の実施例の説明において明らかになる。
【図面の簡単な説明】
【００１７】
本発明の実施例の技術案をより明確に説明するために、以下に実施例の記述において必要な図面を簡単に説明を行うが、明らかに、以下に記載する図面は単に本発明の実施例の一例であって、当業者であれば、創造的な労力を要することなく、これらの図面に基づいて他の図面に想到しうる。
【００１８】
【図１】図１は本発明の実施例に係るネットワークアーキテクチャの模式図である。
【図２】図２は本発明の実施例に係る測定方法のフローチャートである。
【図３】図３は本発明の実施例に係るユーザー装置の構造模式図である。
【図４】図４は本発明の実施例に係るネットワーク機器の構造模式図である。
【図５】図５は本発明の実施例に係る他のユーザー装置の構造模式図である。
【図６】図６は本発明の実施例に係る他のネットワーク機器の構造模式図である。
【図７】図７は本発明の実施例に係る他のユーザー装置の構造模式図である。
【発明を実施するための形態】
【００１９】
当業者が本願案をよく理解するために、以下に本願の実施例の図面を参照しながら、本願の実施例の技術案を明確且つ完全に説明し、明らかに、説明される実施例は本願の実施例の一部であり、実施例のすべてではない。本願の実施例に基づき、当業者が進歩性のある労働を必要とせずに得られる他の実施例は、いずれも本願の保護範囲に属すべきである。
【００２０】
以下、それぞれ詳しく説明する。
【００２１】
本願の明細書、特許請求の範囲及び前記図面の用語「第１」「第２」「第３」及び「第４」等は異なるオブジェクトを区別するためのものであり、特定の順序を説明するためのものではない。また、用語「備える」、「有する」及びそれらの任意の変形は、非排他的包含を含むように意図される。例えば、一連のステップ又はユニットを含む過程、方法、システム、製品又は装置は列挙したステップ又はユニットに限らず、選択的に、更に列挙しないステップ又はユニットを含むことが好ましく、又は、選択的に、更にこれらの過程、方法、製品又は装置固有の他のステップ又はユニットを含む。
【００２２】
本明細書に言及した「実施例」は、実施例を参照して説明した特定の特徴、構造又は特性が本願の少なくとも１つの実施例に含まれてもよいことを意味する。明細書の各箇所に該連語が出現するとは、必ずいずれも同じ実施例を意味せず、他の実施例と相互排他的な独立した又は候補の実施例でもない。当業者であれば、本明細書に説明される実施例が他の実施例と組み合わせてもよいと明示的及び暗黙的に理解される。
【００２３】
以下、図面を参照しながら本願の実施例を説明する。
【００２４】
図１を参照して、図１は本願の実施例に開示されるネットワークアーキテクチャの模式図である。図１に示されるネットワークアーキテクチャはユーザー装置１１０及びネットワーク機器１２０を備える。５Ｇ又はＮＲにおいて、Ｓ−Ｍｅａｓｕｒｅの測定開始をサポートし、Ｓ−Ｍｅａｓｕｒｅの定義はサービスセルの品質がＳ−Ｍｅａｓｕｒｅより高い場合、ユーザー装置が隣接セルのＩＤＬＲ  ＲＳ及びＣＳＩ−ＲＳを測定する必要がないということであり、しかしながら、ビームが導入されるため、ｓ−Ｍｅａｓｕｒｅによって測定を開始するだけで不十分である可能性がある。
【００２５】
従って、本案では、設定された測定閾値がセル品質及び／又はビーム数に関連し、ユーザー装置は測定を開始する前に、セル品質だけでなく、ビーム数も参照でき、セル品質のみを参照する場合に比べて、本案ではより多くのパラメータを参照し、このようにユーザー装置が測定を開始するかどうかを総合的に判断することができ、更にユーザー装置が必要な時刻に測定をタイムリーに開始する。
【００２６】
測定閾値はネットワーク機器１２０がユーザー装置１１０に設定したものであってもよいし、プロトコルに予め規定されたものであってもよい。
【００２７】
上記ビーム数が品質要件を満たすビーム数である。
【００２８】
具体的に、ビーム品質がビーム品質閾値より高いビームの数は品質要件を満たすビーム数であり、例えば、サービスセルのビームが１０個あって、１０個のビームのうちの５つのビームの品質がビーム品質閾値より高い場合、品質要件を満たすビーム数が５である。
【００２９】
測定閾値がサービスセルの品質のみを考慮すると仮定する場合、サービスセルにおける１つのみのビームの品質が要件を満たすが、サービスセルの品質が測定閾値より高いため、ユーザー装置が測定を開始することがない場合が生じる可能性がある。ユーザー装置の移動速度等に起因して、品質の要件を満たすビームが故障すれば、ユーザー装置が無線リンクに失敗する可能性がある。
【００３０】
従って、本案では、設定された測定閾値がセル品質及び／又は品質要件を満たすビーム数に関連し、ユーザー装置は測定を開始する前に、サービスセルの品質だけでなく、品質要件を満たすビーム数も参照でき、このようにサービスセルにおける１つのみのビームの品質が要件を満たすが、サービスセルの品質が測定閾値より高い場合を避けることができ、それによりユーザー装置が必要な時刻に測定をタイムリーに開始し、更にセル測定の適時性を確保する。
【００３１】
ユーザー装置（ＵＥ：Ｕｓｅｒ  Ｅｑｕｉｐｍｅｎｔ）はユーザーに音声及び／又はデータ接続を提供する装置、例えば、無線接続機能を有するハンドヘルドデバイス、車載装置等である。よく見られるユーザー装置は例えば携帯電話、タブレットＰＣ、ノートパソコン、携帯情報端末、モバイルインターネット装置（ＭＩＤ：ｍｏｂｉｌｅ  ｉｎｔｅｒｎｅｔ  ｄｅｖｉｃｅ）、ウェアラブル端末例えばスマートウォッチ、スマートブレスレット、万歩計等を含む。
【００３２】
ネットワーク機器はネットワーク側のノード装置を指し、例えば、ネットワーク機器はセルラーネットワークにおけるアクセスネットワーク側の無線アクセスネットワーク（ＲＡＮ：Ｒａｄｉｏ  Ａｃｃｅｓｓ  Ｎｅｔｗｏｒｋ）装置であってもよく、所謂ＲＡＮ装置はユーザー装置を無線ネットワークにアクセスする装置であり、発展型ノードＢ（ｅＮＢ：ｅｖｏｌｖｅｄ  Ｎｏｄｅ  Ｂ）、無線ネットワーク制御装置（ＲＮＣ：ｒａｄｉｏ  ｎｅｔｗｏｒｋ  ｃｏｎｔｒｏｌｌｅｒ）、ノードＢ（ＮＢ：Ｎｏｄｅ  Ｂ）、基地局制御装置（ＢＳＣ：Ｂａｓｅ  Ｓｔａｔｉｏｎ  Ｃｏｎｔｒｏｌｌｅｒ）、無線基地局装置（ＢＴＳ：Ｂａｓｅ  Ｔｒａｎｓｃｅｉｖｅｒ  Ｓｔａｔｉｏｎ）、ホーム基地局（例えば、ＨＮＢ：Ｈｏｍｅ  ｅｖｏｌｖｅｄ  ＮｏｄｅＢ、又はＨｏｍｅ  Ｎｏｄｅ  Ｂ）、ベースバンドユニット（ＢＢＵ：ＢａｓｅＢａｎｄ  Ｕｎｉｔ）、モビリティ管理エンティティ（ＭＭＥ：Ｍｏｂｉｌｉｔｙ  Ｍａｎａｇｅｍｅｎｔ  Ｅｎｔｉｔｙ）を含むが、それらに限らず、更に、例えば、ネットワーク機器は更に無線ローカルエリアネットワーク（ＷＬＡＮ：Ｗｉｒｅｌｅｓｓ  Ｌｏｃａｌ  Ａｒｅａ  Ｎｅｔｗｏｒｋ）におけるノード装置、例えばアクセス制御機構（ＡＣ：ａｃｃｅｓｓ  ｃｏｎｔｒｏｌｌｅｒ）、ゲートウェイ、又はＷＩＦＩアクセスポイント（ＡＰ：Ａｃｃｅｓｓ  Ｐｏｉｎｔ）等であってもよい。
【００３３】
以下、図１に示されるネットワークアーキテクチャを参照して本願の実施例に係る測定方法を詳しく説明する。
【００３４】
図２を参照して、図２は本願の実施例に係る測定方法のフローチャートであり、
ネットワーク機器がセル品質及び／又は第１ビーム数に関連する設定された測定閾値を送信するステップＳ２０１と、
ユーザー装置が前記測定閾値を取得し、前記測定閾値の要件を満たす場合、前記ユーザー装置が測定を開始するステップＳ２０２と、を含む。
【００３５】
なお、図２に示される測定方法は測定閾値がネットワーク機器に設定されたものである場合に実行されるが、測定閾値がネットワーク機器に設定されたものであろうと、プロトコルに予め規定されたものであろうと、下記内容が同様に適用される。
【００３６】
具体的に、５Ｇ又はＮＲにおいて、Ｓ−Ｍｅａｓｕｒｅの測定開始をサポートし、Ｓ−Ｍｅａｓｕｒｅの定義はサービスセルの品質がＳ−Ｍｅａｓｕｒｅより高い場合、ＵＥが隣接セルのＩＤＬＲ  ＲＳ及びＣＳＩ−ＲＳを測定する必要がないということである。しかしながら、ビームが導入されるため、ｓ−Ｍｅａｓｕｒｅによって測定を開始するだけで不十分である可能性がある。従って、本案では、設定された測定閾値がセル品質及び／又はビーム数に関連し、ユーザー装置は測定を開始する前に、セル品質だけでなく、ビーム数も参照でき、セル品質のみを参照する場合に比べて、本案ではより多くのパラメータを参照し、このようにユーザー装置が測定を開始するかどうかを総合的に判断することができ、更にユーザー装置が必要な時刻に測定をタイムリーに開始する。
【００３７】
一例では、第１ビーム数が品質要件を満たすビーム数である。
【００３８】
具体的に、ビーム品質がビーム品質閾値より高いビームの数は品質要件を満たすビーム数であり、例えば、サービスセルに１０個のビームがあり、１０個のビームのうちの５つのビームの品質がビーム品質閾値より高い場合、品質要件を満たすビーム数が５である。
【００３９】
具体的に、測定閾値がサービスセルの品質のみを考慮すると仮定する場合、サービスセルにおける１つのみのビームの品質が要件を満たすが、サービスセルの品質が測定閾値より高いため、ユーザー装置が測定を開始することがない場合が生じる可能性がある。ユーザー装置の移動速度等に起因して、品質の要件を満たすビームが故障すれば、ユーザー装置が無線リンクに失敗する可能性がある。従って、本案では、設定された測定閾値がセル品質及び／又は品質要件を満たすビーム数に関連し、ユーザー装置は測定を開始する前に、サービスセルの品質だけでなく、品質要件を満たすビーム数も参照でき、このようにサービスセルにおける１つのみのビームの品質が要件を満たすが、サービスセルの品質が測定閾値より高い場合を避けることができ、それによりユーザー装置が必要な時刻に測定をタイムリーに開始し、更にセル測定の適時性を確保する。
【００４０】
一例では、前記第１ビーム数が第１閾値より大きい場合、前記測定閾値がセル品質測定閾値に関連する。
【００４１】
第１閾値がネットワーク機器に設定されたものであり、又は、第１閾値がプロトコルに予め規定されたものである。
【００４２】
具体的に、第１ビーム数が第１閾値より大きい場合、測定閾値＝セル品質測定閾値である。
【００４３】
具体的に、第１ビーム数は品質要件を満たすビーム数、すなわちビーム品質がビーム品質閾値より高いビームの数であり、第１閾値が１０であると仮定する場合、現在、サービスセルにおける１０個のビームの品質がビーム品質閾値より高く、この時、サービスセルの品質が測定閾値より高いと仮定する場合、ユーザー装置が測定を開始しなくても、ユーザー装置の移動速度等に起因して、無線リンクに失敗してしまうことが難しいため、第１ビーム数が一定値より大きい場合、ユーザー装置の測定閾値がセル品質のみを考慮すればよい。
【００４４】
一例では、前記測定閾値がセル品質測定閾値及びオフセット量に関連し、前記オフセット量が前記第１ビーム数の関数である。
【００４５】
具体的に、測定閾値＝セル品質測定閾値±オフセット量である。オフセット量＝Ｆ（第１ビーム数）であり、Ｆが関数である。
【００４６】
更に、前記オフセット量が前記第１ビーム数及び第２ビーム数に関連し、前記第１ビーム数が品質要件を満たすビーム数であり、前記第２ビーム数が前記ネットワーク機器から送信されたビーム数である。
【００４７】
第２ビーム数はネットワーク機器から送信されたビーム数であるのは、ネットワーク機器の位置するセルの実際にサポートする総ビーム数を指す。例えば、ネットワーク機器の位置するセルのサポートする総ビーム数が１０である場合、Ｍ＝１０である。
【００４８】
具体的に、オフセット量＝セル品質測定閾値（第１ビーム数／第２ビーム数）の場合、測定閾値＝セル品質測定閾値＋セル品質測定閾値（第１ビーム数／第２ビーム数）である。例えば、セル品質測定閾値がｓ−Ｍｅａｓｕｒｅｃｅｌｌ  ｑｕａｌｉｔｙであり、第１ビーム数＝１０であり、第２ビーム数＝２０であると仮定する場合、上記測定閾値＝ｓ−Ｍｅａｓｕｒｅｃｅｌｌ  ｑｕａｌｉｔｙ＋ｓ−Ｍｅａｓｕｒｅｃｅｌｌ  ｑｕａｌｉｔｙ（１０／２０）である。
【００４９】
第２ビーム数はネットワーク機器がシステム情報又は同期情報によってユーザー装置に送信したものである。
【００５０】
一例では、前記システム情報は共通リソース設定情報（Ｃｏｍｍｏｎ  Ｒｅｓｏｕｒｃｅ  Ｃｏｎｆｉｇｕｒａｔｉｏｎ）を含む。
【００５１】
具体的に、共通リソース設定情報に１つの１ｂｉｔの情報を設定（又は追加）することができ、該１ｂｉｔの情報が第２ビーム数である。例えば、１ｂｉｔ情報が１０である場合、第２ビーム数＝１０であると示され、例えば、１ｂｉｔ情報が３０である場合、第２ビーム数＝３０であると示される。
【００５２】
以上によれば、従来の５Ｇ／ＮＲシステムにおいて、ユーザー装置がセルアクセスを行う際に把握しなければならない情報はシステム情報を含む。ネットワーク機器が第２ビーム数をシステム情報によってユーザー装置に提供することにより、スケジューリングシグナリングを節約することができるだけでなく、ユーザー装置がセルアクセスを行う際に第２ビーム数を取得することもできる。
【００５３】
また、セルビームの品質の測定はセルの検索を行うことを目的とし、セルを検索する目的はユーザー装置がシステムの時間同期及び周波数同期を実現するように確保することであり、従って、ユーザー装置はセルの検索を行う際に同期情報を節約することができ、従って、ネットワーク機器が第２ビーム数を同期情報によってユーザー装置に提供することにより、スケジューリングシグナリングを節約することができるだけでなく、ユーザー装置が開始時に第２ビーム数を取得することもできる。
【００５４】
更に、前記第１ビーム数が第２閾値より小さい場合、前記オフセット量が前記第１ビーム数及びビーム数とオフセット量とのマッピング関係によって決定される。
【００５５】
第２閾値がネットワーク機器に設定されたものであり、又は、第１閾値がプロトコルに予め規定されたものである。
【００５６】
第２閾値が第１閾値と同じであってもよいし、第１閾値と異なってもよく、本発明は制限しない。
【００５７】
ビーム数とオフセット量とのマッピング関係が１つの表であり、該表に各ビーム数に対応するオフセット量が記録され、表１に示される。
【表１】
2020529746.tif 000003
【００５８】
ビーム数とオフセット量とのマッピング関係が１つの表であり、該表に各ビーム数範囲に対応するオフセット量が記録され、表２に示される。
【表２】
2020529746.tif 000004
【００５９】
一例では、上記ビーム数とオフセット量とのマッピング関係が１つの公式であり、オフセット量＝ビーム数＊Ｘであり、前記Ｘが任意の数であり、前記Ｘが前記ネットワーク機器に設定されたものであり、又は、前記Ｘが予め決められたものである。例えば、Ｘ＝１、第１ビーム数＝５であると仮定する場合、オフセット量＝５である。
【００６０】
更に、異なるビーム数に対応するＸが同じである。例えば、ビーム数＝３、ビーム数＝５であると仮定する場合、Ｘがいずれも１に等しい。
【００６１】
更に、異なるビーム数範囲に対応するＸが異なる。例えば、ビーム数＝１〜３、Ｘ＝１、ビーム数＝４〜７であると仮定する場合、Ｘ＝０．５である。
【００６２】
一例では、上記ビーム数とオフセット量とのマッピング関係が１つの公式であり、オフセット量＝ビーム数−Ｙであり、前記Ｙが任意の数であり、前記Ｙが前記ネットワーク機器に設定されたものであり、又は、前記Ｙが予め決められたものである。例えば、Ｙ＝３、第１ビーム数＝５であると仮定する場合、オフセット量＝２である。
【００６３】
更に、異なるビーム数に対応するＹが同じである。例えば、ビーム数＝５、ビーム数＝７であると仮定する場合、Ｙがいずれも３に等しい。
【００６４】
更に、異なるビーム数値範囲に対応するＹが異なる。例えば、ビーム数＝１〜３、Ｙ＝５、ビーム数＝４〜７であると仮定する場合、Ｙ＝３である。
【００６５】
一例では、上記ビーム数とオフセット量とのマッピング関係が１つの公式であり、オフセット量＝ビーム数／Ｚであり、前記Ｚが任意の数であり、前記Ｚが前記ネットワーク機器に設定されたものであり、又は、前記Ｚが予め決められたものである。例えば、Ｚ＝３、第１ビーム数＝６であると仮定する場合、オフセット量＝２である。
【００６６】
更に、異なるビーム数範囲に対応するＸが異なる。例えば、ビーム数＝６、ビーム数＝７であると仮定する場合、Ｚがいずれも３に等しい。
【００６７】
更に、異なるビーム数範囲に対応するＺが異なる。例えば、ビーム数＝１〜３、Ｚ＝２、ビーム数＝４〜７であると仮定する場合、Ｚ＝４である。
【００６８】
測定閾値については、具体的に、測定閾値＝セル品質測定閾値−オフセット量である。例えば、ビーム数とオフセット量とのマッピング関係が表２に示され、セル品質測定閾値がｓ−Ｍｅａｓｕｒｅｃｅｌｌ  ｑｕａｌｉｔｙであり、第１ビーム数＝１０であると仮定する場合、測定閾値＝ｓ−Ｍｅａｓｕｒｅｃｅｌｌ  ｑｕａｌｉｔｙ−４である。
【００６９】
更に、前記ビーム数とオフセット量とのマッピング関係は前記ネットワーク機器がシグナリングを介して前記ユーザー装置に設定したものであり、又は、前記ビーム数とオフセット量とのマッピング関係は予め決められたものである。
【００７０】
具体的に、前記シグナリングはシステム情報を含み、又は前記シグナリングは専用シグナリングを含む。前記専用シグナリングはＲＲＣ再設定シグナリング（ＲＲＣ  Ｒｅｃｏｎｆｉｇｕｒａｔｉｏｎ）を含む。専用シグナリングを用いてビーム数とオフセット量とのマッピング関係を送信することにより、シグナリングのオーバーヘッドを節約することができる。また、従来の５Ｇ／ＮＲシステムにおいて、ユーザー装置がセルアクセスを行う際に把握しなければならない情報はシステム情報を含む。ネットワーク機器がビーム数とオフセット量とのマッピング関係をシステム情報によってユーザー装置に提供することにより、スケジューリングシグナリングを節約することができ、ユーザー装置がセルアクセスを行う際にビーム数とオフセット量とのマッピング関係を取得することができる。
【００７１】
更に、専用シグナリングに特定の情報要素（ＩＥ：Ｉｎｆｏｒｍａｔｉｏｎ  Ｅｌｅｍｅｎｔ）を導入することにより、ビーム数とオフセット量とのマッピング関係をユーザー装置に送信することができる。
【００７２】
一例では、前記測定閾値がセル品質測定閾値及び／又はビーム数測定閾値を含む。つまり、該測定閾値はセル品質測定閾値のみを含んでもよく、又は、ビーム数測定閾値のみを含んでもよく、又は両方を含んでもよい。
【００７３】
一例では、前記測定閾値が前記セル品質測定閾値と前記ビーム数測定閾値を含む場合、前記セル品質測定閾値と前記ビーム数測定閾値のうちの少なくとも１つが要件を満たせば、前記ユーザー装置が測定を開始する。
【００７４】
更に、前記測定閾値が前記セル品質測定閾値又は前記ビーム数測定閾値を含む場合、前記セル品質測定閾値が要件を満たせば、ユーザー装置が測定を開始し、そうでない場合、ユーザー装置が如何なる操作をせず、前記ビーム数測定閾値の要件を満たす場合、ユーザー装置が測定を開始し、そうでない場合、ユーザー装置が如何なる操作をしない。
【００７５】
一例では、前記ビーム数測定閾値がビーム品質閾値を満たすビーム数の閾値であり、前記ビーム品質閾値がネットワーク機器の設定したものであり、又は、前記ビーム品質閾値が予め決められたものである。
【００７６】
具体的に、サービスセルの品質がセル品質測定閾値以下である場合、セル品質測定閾値の要件を満たすと示され、そうでない場合、要件を満たさない。例えば、サービスセルの品質がＡ、セル品質測定閾値がＢであると仮定し、Ａ＜Ｂの場合、セル品質測定閾値の要件を満たす。ビーム品質閾値を満たすビーム数がビーム数測定閾値以下である場合、ビーム数測定閾値が要件を満たし、そうでない場合、要件を満たさない。例えば、サービスセルに１０個のビームがあり、この１０個のビームのうちのビーム品質閾値を満たすビーム数が５つであり、ビーム数測定閾値が３であると仮定し、５＞３の場合、ビーム数測定閾値の要件を満たす。
【００７７】
なお、上記測定閾値、第１閾値、第２閾値、ビーム数とオフセット量とのマッピング関係、ビーム品質閾値のうちの少なくとも２つはネットワーク機器がユーザー装置に設定したものであると仮定し、ネットワーク機器は前記少なくとも２つの情報をユーザー装置に直接設定し、例えばネットワーク機器はシステム情報又は専用シグナリングを介して前記少なくとも２つ情報をユーザー装置に直接設定することができ、又は、ネットワーク機器は前記少なくとも２つの情報をユーザー装置に個別に設定し、例えばネットワーク機器はシステム情報によって前記少なくとも２つの情報のうちの一部の情報をユーザー装置に設定し、次に専用シグナリングを介して前記少なくとも２つの情報のうちの残りの情報をユーザー装置に設定することができる。
【００７８】
図３を参照して、図３には本発明の実施例に係るユーザー装置３００を示し、１つ又は複数のプロセッサ、１つ又は複数のメモリ、１つ又は複数の送受信機、及び１つ又は複数のプログラムを備え、
前記１つ又は複数のプログラムが前記メモリに記憶され、且つ前記１つ又は複数のプロセッサにより実行されるように設定され、
前記プログラムは、
セル品質及び／又は第１ビーム数に関連する測定閾値を取得し、
前記測定閾値の要件を満たす場合、測定を開始するステップを実行するための命令を含む。
【００７９】
一例では、前記測定閾値がセル品質測定閾値及びオフセット量に関連し、前記オフセット量が前記第１ビーム数の関数である。
【００８０】
一例では、前記第１ビーム数が第１閾値より大きい場合、前記測定閾値がセル品質測定閾値に関連する。
【００８１】
一例では、前記オフセット量が前記第１ビーム数及び第２ビーム数に関連し、前記第１ビーム数が品質要件を満たすビーム数であり、前記第２ビーム数が前記ネットワーク機器から送信されたビーム数である。
【００８２】
一例では、前記第１ビーム数が第２閾値より小さい場合、前記オフセット量が前記第１ビーム数及びビーム数とオフセット量とのマッピング関係によって決定される。
【００８３】
一例では、前記ビーム数とオフセット量とのマッピング関係は前記ネットワーク機器がシグナリングを介して前記ユーザー装置に設定したものであり、又は、前記ビーム数とオフセット量とのマッピング関係は予め決められたものである。
【００８４】
一例では、前記測定閾値がセル品質測定閾値及び／又はビーム数測定閾値を含む。
【００８５】
一例では、前記測定閾値が前記セル品質測定閾値と前記ビーム数測定閾値を含む場合、前記セル品質測定閾値と前記ビーム数測定閾値のうちの少なくとも１つが要件を満たせば、前記ユーザー装置が測定を開始する。
【００８６】
一例では、前記ビーム数測定閾値がビーム品質閾値を満たすビーム数の閾値であり、前記ビーム品質閾値がネットワーク機器の設定したものであり、又は、前記ビーム品質閾値が予め決められたものである。
【００８７】
以上によれば、本案では、設定された測定閾値がセル品質及び／又はビーム数に関連し、ユーザー装置は測定を開始する前に、セル品質だけでなく、ビーム数も参照でき、セル品質のみを参照する場合に比べて、本案ではより多くのパラメータを参照し、このようにユーザー装置が測定を開始するかどうかを総合的に判断することができ、更にユーザー装置が必要な時刻に測定をタイムリーに開始する。
【００８８】
図４を参照して、図４には本発明の実施例に係るネットワーク機器４００を示し、１つ又は複数のプロセッサ、１つ又は複数のメモリ、１つ又は複数の送受信機、及び１つ又は複数のプログラムを備え、
前記１つ又は複数のプログラムが前記メモリに記憶され、且つ前記１つ又は複数のプロセッサにより実行されるように設定され、
前記プログラムは、
セル品質及び／又は第１ビーム数に関連する、ユーザー装置が測定を開始するかどうかを決定するための設定された測定閾値を送信するステップを実行するための命令を含む。
【００８９】
一例では、前記測定閾値がセル品質測定閾値及びオフセット量に関連し、前記オフセット量が前記第１ビーム数の関数である。
【００９０】
一例では、前記第１ビーム数が第１閾値より大きい場合、前記測定閾値がセル品質測定閾値に関連する。
【００９１】
一例では、前記オフセット量が前記第１ビーム数及び第２ビーム数に関連し、前記第１ビーム数が品質要件を満たすビーム数であり、前記第２ビーム数が前記ネットワーク機器から送信されたビーム数である。
【００９２】
一例では、前記第１ビーム数が第２閾値より小さい場合、前記オフセット量が前記第１ビーム数及びビーム数とオフセット量とのマッピング関係によって決定される。
【００９３】
一例では、前記ビーム数とオフセット量とのマッピング関係は前記ネットワーク機器がシグナリングを介して前記ユーザー装置に設定したものであり、又は、前記ビーム数とオフセット量とのマッピング関係は予め決められたものである。
【００９４】
一例では、前記測定閾値がセル品質測定閾値及び／又はビーム数測定閾値を含む。
【００９５】
一例では、前記測定閾値が前記セル品質測定閾値と前記ビーム数測定閾値を含む場合、前記セル品質測定閾値と前記ビーム数測定閾値のうちの少なくとも１つが要件を満たせば、前記ユーザー装置が測定を開始する。
【００９６】
一例では、前記ビーム数測定閾値がビーム品質閾値を満たすビーム数の閾値であり、前記ビーム品質閾値がネットワーク機器の設定したものであり、又は、前記ビーム品質閾値が予め決められたものである。
【００９７】
以上によれば、本案では、設定された測定閾値がセル品質及び／又はビーム数に関連し、ユーザー装置は測定を開始する前に、セル品質だけでなく、ビーム数も参照でき、セル品質のみを参照する場合に比べて、本案ではより多くのパラメータを参照し、このようにユーザー装置が測定を開始するかどうかを総合的に判断することができ、更にユーザー装置が必要な時刻に測定をタイムリーに開始する。
【００９８】
図５を参照して、図５は本実施例に係るユーザー装置５００の構造模式図である。該ユーザー装置５００は処理ユニット５０１、通信ユニット５０２及び記憶ユニット５０３を備え、
前記処理ユニット５０１は、セル品質及び／又は第１ビーム数に関連する測定閾値を取得し、前記測定閾値の要件を満たす場合、測定を開始することに用いられる。
【００９９】
処理ユニット５０１はプロセッサ又はコントローラであってもよく、例えば、中央処理装置（ＣＰＵ：Ｃｅｎｔｒａｌ  Ｐｒｏｃｅｓｓｉｎｇ  Ｕｎｉｔ）、汎用プロセッサ、デジタル信号プロセッサ（ＤＳＰ：Ｄｉｇｉｔａｌ  Ｓｉｇｎａｌ  Ｐｒｏｃｅｓｓｏｒ）、特定用途向け集積回路（ＡＳＩＣ：Ａｐｐｌｉｃａｔｉｏｎ−Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）又は他のプログラマブルロジックデバイス、トランジスタロジックデバイス、ハードウェア部材又はそれらの任意の組み合わせであってもよい。それは本発明に開示される内容を参照して説明した様々な例示的な論理ブロック、モジュール及び回路を実現又は実行することができる。前記プロセッサは更に計算機能を実現する組み合わせ、例えば１つ又は複数のマイクロプロセッサの組み合わせ、ＤＳＰ及びマイクロプロセッサの組み合わせ等であってもよい。通信ユニット５０２は送受信機、送受信回路、無線周波数チップ、通信インターフェース等であってもよく、記憶ユニット５０３はメモリであってもよい。
【０１００】
処理ユニット５０１がプロセッサであり、通信ユニット５０２が通信インターフェースであり、記憶ユニット５０３がメモリである場合、本発明の実施例に係るユーザー装置が図３に示されるユーザー装置であってもよい。
【０１０１】
図６を参照して、図６は本実施例に係るネットワーク機器６００の構造模式図である。該ネットワーク機器６００は処理ユニット６０１、通信ユニット６０２及び記憶ユニット６０３を備え、
前記処理ユニット６０１は、前記通信ユニット６０２によって、セル品質及び／又は第１ビーム数に関連する、ユーザー装置が測定を開始するかどうかを決定するための設定された測定閾値を送信することに用いられる。
【０１０２】
処理ユニット６０１はプロセッサ又はコントローラであってもよく、例えば、中央処理装置（ＣＰＵ：Ｃｅｎｔｒａｌ  Ｐｒｏｃｅｓｓｉｎｇ  Ｕｎｉｔ）、汎用プロセッサ、デジタル信号プロセッサ（ＤＳＰ：Ｄｉｇｉｔａｌ  Ｓｉｇｎａｌ  Ｐｒｏｃｅｓｓｏｒ）、特定用途向け集積回路（ＡＳＩＣ：Ａｐｐｌｉｃａｔｉｏｎ−Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）又は他のプログラマブルロジックデバイス、トランジスタロジックデバイス、ハードウェア部材又はそれらの任意の組み合わせであってもよい。それは本発明に開示される内容を参照して説明した様々な例示的な論理ブロック、モジュール及び回路を実現又は実行することができる。前記プロセッサは更に計算機能を実現する組み合わせ、例えば１つ又は複数のマイクロプロセッサの組み合わせ、ＤＳＰ及びマイクロプロセッサの組み合わせ等であってもよい。通信ユニット６０２は送受信機、送受信回路、無線周波数チップ、通信インターフェース等であってもよく、記憶ユニット６０３はメモリであってもよい。
【０１０３】
処理ユニット６０１がプロセッサであり、通信ユニット６０２が通信インターフェースであり、記憶ユニット６０３がメモリである場合、本発明の実施例に係るネットワーク機器が図４に示されるネットワーク機器であってもよい。
【０１０４】
本発明の実施例は更に他のユーザー装置を提供し、図７に示すように、説明の都合上、本発明の実施例に関連する部分のみを示し、具体的な技術的詳細が図示されていないため、本発明の実施例の方法部分を参照してもよい。該ユーザー装置は携帯電話、タブレットＰＣ、ＰＤＡ（Ｐｅｒｓｏｎａｌ  Ｄｉｇｉｔａｌ  Ａｓｓｉｓｔａｎｔ、パーソナルデジタルアシスタント）、ＰＯＳ（Ｐｏｉｎｔ  ｏｆ  Ｓａｌｅｓ、販売端末）、車載コンピュータ等の任意のユーザー装置であってもよく、ユーザー装置が携帯電話である場合を例とし、
図７には本発明の実施例に係るユーザー装置に関連する携帯電話の部分構造のブロック図を示す。図７を参照して、携帯電話は無線周波数（ＲＦ：Ｒａｄｉｏ  Ｆｒｅｑｕｅｎｃｙ）回路９１０、メモリ９２０、入力ユニット９３０、表示ユニット９４０、センサー９５０、オーディオ回路９６０、ワイヤレスフィデリティ（ＷｉＦｉ：Ｗｉｒｅｌｅｓｓ  Ｆｉｄｅｌｉｔｙ）モジュール９７０、プロセッサ９８０及び電源９９０等の部材を含む。当業者であれば、図７に示される携帯電話の構造は携帯電話を制限するためのものではなく、図示より多く又は少ない部材を備え、又はいくつかの部材を組み合わせ、又は異なる部材を配置してもよいと理解される。
【０１０５】
以下、図７を参照しながら携帯電話の各構成部材を具体的に説明する。
【０１０６】
ＲＦ回路９１０は情報を送受信することに用いられてもよい。一般的に、ＲＦ回路９１０はアンテナ、少なくとも１つの増幅器、送受信機、結合器、低雑音増幅器（ＬＮＡ：Ｌｏｗ  Ｎｏｉｓｅ  Ａｍｐｌｉｆｉｅｒ）、デュプレクサ等を含むが、それらに限らない。また、ＲＦ回路９１０は更に無線通信及びネットワーク経由で他の装置と通信する。上記無線通信はいずれか１つの通信規格又はプロトコルを用いてもよく、前記通信規格又はプロトコルはモバイル通信用グローバルシステム（ＧＳＭ：Ｇｌｏｂａｌ  Ｓｙｓｔｅｍ  ｏｆ  Ｍｏｂｉｌｅ  ｃｏｍｍｕｎｉｃａｔｉｏｎ）、汎用パケット無線サービス（ＧＰＲＳ：Ｇｅｎｅｒａｌ  Ｐａｃｋｅｔ  Ｒａｄｉｏ  Ｓｅｒｖｉｃｅ）、符号分割多元接続（ＣＤＭＡ：Ｃｏｄｅ  Ｄｉｖｉｓｉｏｎ  Ｍｕｌｔｉｐｌｅ  Ａｃｃｅｓｓ）、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）、ロングタームエボリューション（ＬＴＥ：Ｌｏｎｇ  Ｔｅｒｍ  Ｅｖｏｌｕｔｉｏｎ）、電子メール、ショートメッセージサービス（ＳＭＳ：Ｓｈｏｒｔ  Ｍｅｓｓａｇｉｎｇ  Ｓｅｒｖｉｃｅ）等を含むが、それらに限らない。
【０１０７】
メモリ９２０はソフトウェアプログラム及びモジュールを記憶することに用いられてもよく、プロセッサ９８０がメモリ９２０に記憶されるソフトウェアプログラム及びモジュールを実行することにより、携帯電話の様々な機能アプリケーション及びデータ処理を実行する。メモリ９２０は主にプログラム記憶領域及びデータ記憶領域を備えてもよく、プログラム記憶領域にオペレーティングシステム、少なくとも１つの機能に必要なアプリケーションプログラム等が記憶されてもよく、データ記憶領域に携帯電話の使用に応じて新規作成されたデータ等が記憶されてもよい。また、メモリ９２０は高速ランダムアクセスメモリを含んでもよく、更に不揮発性メモリ、例えば少なくとも１つの磁気ディスク記憶装置、フラッシュメモリ装置又は他の揮発性固体記憶装置を含んでもよい。
【０１０８】
入力ユニット９３０は入力された数字又は文字情報を送信し、携帯電話のユーザー設定及び機能制御に関連するキー信号入力を発生させることに用いられてもよい。具体的に、入力ユニット９３０は指紋認識モジュール９３１及び他の入力装置９３２を備えてもよい。指紋認識モジュール９３１はユーザーのその上の指紋データを収集することができる。指紋認識モジュール９３１以外に、入力ユニット９３０は更に他の入力装置９３２を備えてもよい。具体的に、他の入力装置９３２はタッチパネル、物理キーボード、機能キー（例えば、音量制御ボタン、スイッチボタン等）、トラックボール、マウス、操作レバー等のうちの１つ又は複数を含んでもよいが、それらに限らない。
【０１０９】
表示ユニット９４０はユーザーの入力した情報又はユーザーに提供した情報及び携帯電話の様々なメニューを表示することに用いられてもよい。表示ユニット９４０はディスプレイ９４１を備えてもよく、選択肢として、液晶ディスプレイ（ＬＣＤ：Ｌｉｑｕｉｄ  Ｃｒｙｓｔａｌ  Ｄｉｓｐｌａｙ）、有機発光ダイオード（ＯＬＥＤ：Ｏｒｇａｎｉｃ  Ｌｉｇｈｔ−Ｅｍｉｔｔｉｎｇ  Ｄｉｏｄｅ）等の形式でディスプレイ９４１を設定してもよい。図７では、指紋認識モジュール９３１及びディスプレイ９４１が２つの独立した部材として携帯電話の入力及び入力機能を実現するが、いくつかの実施例において、指紋認識モジュール９３１及びディスプレイ９４１を統合して携帯電話の入力及び再生機能を実現することができる。
【０１１０】
携帯電話は更に少なくとも１種類のセンサー９５０、例えば光センサー、運動センサー及び他のセンサーを備えてもよい。具体的に、光センサーは環境光センサー及び接近センサーを含んでもよく、環境光センサーは環境光の明るさに基づいてディスプレイ９４１の輝度を調整することができ、接近センサーは携帯電話が耳元に移動するとき、ディスプレイ９４１及び／又はバックライトを閉じることができる。運動センサーの１つとして、加速度センサーは各方向（一般的に三軸）における加速度の大きさを検出することができ、静止時に重力の大きさ及び方向を検出することができ、携帯電話の姿勢を認識するアプリケーション（例えば、水平画面及び垂直画面の切り替え、関連ゲーム、磁力計の姿勢較正）、振動認識に関連する機能（例えば、万歩計、ハンマリング）等に適用されてもよく、携帯電話に更に設定できるジャイロスコープ、気圧計、湿度計、温度計、赤外線センサー等の他のセンサーは省略する。
【０１１１】
オーディオ回路９６０、拡声器９６１、マイクロフォン９６２はユーザーと携帯電話とのオーディオインターフェースを提供することができる。オーディオ回路９６０は送信されたオーディオデータを変換した電気信号を拡声器９６１に伝送し、拡声器９６１によって音声信号に変換して再生することができる一方、マイクロフォン９６２は収集された音声信号を電気信号に変換し、オーディオ回路９６０によって送信してからオーディオデータに変換し、更にオーディオデータを再生してプロセッサ９８０によって処理した後、ＲＦ回路９１０によって例えば他の携帯電話に送信し、又は、更なる処理を行うために、オーディオデータをメモリ９２０に再生する。
【０１１２】
ＷｉＦｉは近距離無線伝送技術に属し、携帯電話はＷｉＦｉモジュール９７０によってユーザーが電子メールを送受信し、ホームページをブラウジングし及びストリーミングメディア等にアクセスすることを助け、ユーザーに無線のブロードバンドインターネットアクセスを提供する。図７にＷｉＦｉモジュール９７０を示すが、それが携帯電話に不可欠な構造ではなく、必要に応じて発明の本質を変えない範囲内に省略してもよいと理解される。
【０１１３】
プロセッサ９８０は携帯電話のコントロールセンターであり、様々なインターフェース及び回路を利用して携帯電話全体の各部分に接続され、メモリ９２０に記憶されるソフトウェアプログラム及び／又はモジュールを動作又は実行し、メモリ９２０に記憶されるデータを呼び出すことにより、携帯電話の様々な機能を実行しデータを処理し、それにより携帯電話全体を監視する。選択肢として、プロセッサ９８０は１つ又は複数の処理ユニットを備えてもよく、好ましくは、プロセッサ９８０はアプリケーションプロセッサ及びモデムプロセッサを統合することができ、アプリケーションプロセッサは主にオペレーティングシステム、ユーザーインターフェース及びアプリケーションプログラム等を処理し、モデムプロセッサは主に無線通信を処理する。上記モデムプロセッサがプロセッサ９８０に統合されなくてもよいと理解される。
【０１１４】
携帯電話は更に各部材に給電する電源９９０（例えば、電池）を備え、好ましくは、電源が電源管理システムによってプロセッサ９８０に論理的に接続されてもよく、それにより電源管理システムによって充電、放電管理及び電力消費管理等の機能を実現する。
【０１１５】
図示しないが、携帯電話は更にＷｅｂカメラ、ブルートゥースモジュール等を備えてもよく、ここで詳細な説明は省略する。
【０１１６】
上記図２に示される実施例において、各ステップ方法におけるユーザー装置側のプロセスは該携帯電話の構造によって実現されてもよい。
【０１１７】
上記図５に示される実施例において、各ユニット機能は該携帯電話の構造によって実現されてもよい。
【０１１８】
本発明の実施例は更にコンピュータ可読記憶媒体を提供し、前記コンピュータ可読記憶媒体には電子データ交換用のコンピュータプログラムが記憶され、前記コンピュータプログラムによってコンピュータが上記方法実施例におけるユーザー装置に説明される一部又は全部のステップを実行する。
【０１１９】
本発明の実施例は更にコンピュータ可読記憶媒体を提供し、前記コンピュータ可読記憶媒体には電子データ交換用のコンピュータプログラムが記憶され、前記コンピュータプログラムによってコンピュータが上記方法実施例におけるネットワーク機器に説明される一部又は全部のステップを実行する。
【０１２０】
本発明の実施例は更にコンピュータプログラム製品を提供し、前記コンピュータプログラム製品はコンピュータプログラムが記憶される非一時的コンピュータ可読記憶媒体を含み、前記コンピュータプログラムによってコンピュータが上記方法におけるユーザー装置に説明される一部又は全部のステップを実行するように操作することができる。該コンピュータプログラム製品が１つのソフトウェアインストールパッケージであってもよい。
【０１２１】
本発明の実施例は更にコンピュータプログラム製品を提供し、前記コンピュータプログラム製品はコンピュータプログラムが記憶される非一時的コンピュータ可読記憶媒体を含み、前記コンピュータプログラムによってコンピュータが上記方法実施例におけるネットワーク機器に説明される一部又は全部のステップを実行するように操作することができる。該コンピュータプログラム製品が１つのソフトウェアインストールパッケージであってもよい。
【０１２２】
本発明の実施例に説明される方法又はアルゴリズムのステップはハードウェアの方式で実現されてもよいし、プロセッサがソフトウェア命令を実行することで実現されてもよい。ソフトウェア命令は対応するソフトウェアモジュールで構成されてもよく、ソフトウェアモジュールがランダムアクセスメモリ（ＲＡＭ：Ｒａｎｄｏｍ  Ａｃｃｅｓｓ  Ｍｅｍｏｒｙ）、フラッシュメモリ、読み出し専用メモリ（ＲＯＭ：Ｒｅａｄ  Ｏｎｌｙ  Ｍｅｍｏｒｙ）、消去可能プログラム可能読み出し専用メモリ（ＥＰＲＯＭ：Ｅｒａｓａｂｌｅ  Ｐｒｏｇｒａｍｍａｂｌｅ  ＲＯＭ）、電気的消去可能プログラム可能読み出し専用メモリ（ＥＥＰＲＯＭ：Ｅｌｅｃｔｒｉｃａｌｌｙ  ＥＰＲＯＭ）、レジスタ、ハードディスク、ポータブルハードディスク、読み出し専用光ディスク（ＣＤ−ＲＯＭ）又は本分野でよく知られている任意の他の形式の記憶媒体に記憶されてもよい。例示的な記憶媒体がプロセッサに結合されることにより、プロセッサは該記憶媒体から情報を読み取って、該記憶媒体に情報を書き込むことができる。無論、記憶媒体が更にプロセッサの構成部分であってもよい。プロセッサ及び記憶媒体がＡＳＩＣに位置してもよい。また、該ＡＳＩＣがアクセスネットワーク装置、目標ネットワーク機器又はコアネットワーク装置に位置してもよい。無論、プロセッサ及び記憶媒体が更に個別コンポーネントとしてアクセスネットワーク装置、目標ネットワーク機器又はコアネットワーク装置に位置してもよい。
【０１２３】
当業者であれば、上記１つ又は複数の例では、本発明の実施例に説明される機能は全部又は部分的にソフトウェア、ハードウェア、ファームウェア又はそれらの任意の組み合わせによって実現されてもよいと理解すべきである。ソフトウェアを用いて実現するとき、全部又は部分的にコンピュータプログラム製品の形式で実現されてもよい。前記コンピュータプログラム製品は１つ又は複数のコンピュータ命令を含む。コンピュータに前記コンピュータプログラム命令をロード及び実行するとき、全部又は部分的に本発明の実施例に記載のプロセス又は機能を発生させる。前記コンピュータは汎用コンピュータ、専用コンピュータ、コンピュータネットワーク又は他のプログラム可能装置であってもよい。前記コンピュータ命令がコンピュータ可読記憶媒体に記憶され、又は１つのコンピュータ可読記憶媒体からもう１つのコンピュータ可読記憶媒体に伝送されてもよく、例えば、前記コンピュータ命令が１つのウェブサイト、コンピュータ、サーバ又はデータセンターから有線（例えば、同軸ケーブル、光ファイバー、デジタル加入者線（ＤＳＬ：Ｄｉｇｉｔａｌ  Ｓｕｂｓｃｒｉｂｅｒ  Ｌｉｎｅ））又は無線（例えば赤外線、無線、マイクロ波等）方式でもう１つのウェブサイト、コンピュータ、サーバ又はデータセンターに伝送されてもよい。前記コンピュータ可読記憶媒体はコンピュータにアクセスできる任意の利用可能媒体又は１つ又は複数の利用可能媒体で統合されたサーバ、データセンター等のデータ記憶装置であってもよい。前記利用可能媒体は磁気媒体（例えば、フロッピーディスク、ハードディスク、磁気テープ）、光媒体（例えば、デジタルビデオディスク（ＤＶＤ：Ｄｉｇｉｔａｌ  Ｖｉｄｅｏ  Ｄｉｓｃ））、又は半導体媒体（例えば、固体ハードディスク（ＳＳＤ：Ｓｏｌｉｄ  Ｓｔａｔｅ  Ｄｉｓｋ））等であってもよい。
【０１２４】
以上に説明される具体的な実施形態は本発明の実施例の目的、技術案及び有益な効果を更に詳しく説明したが、以上の説明は本発明の実施例の具体的な実施形態に過ぎず、本発明の実施例の保護範囲を制限するためのものではなく、本発明の実施例の技術案に基づき行ったいかなる修正、等価置換、改良等は、いずれも本発明の実施例の保護範囲内に含まれるべきであると理解すべきである。
【図１】
2020529746.tif 000005
【図２】
2020529746.tif 000006
【図３】
2020529746.tif 000007
【図４】
2020529746.tif 000008
【図５】
2020529746.tif 000009
【図６】
2020529746.tif 000010
【図７】
2020529746.tif 000011
【手続補正書】
【提出日】令和2年5月27日(2020.5.27)
【手続補正１】
【補正対象書類名】明細書
【補正対象項目名】０００３
【補正方法】変更
【補正の内容】
【０００３】
ロングタームエボリューション技術（ＬＴＥ：Ｌｏｎｇ  Ｔｅｒｍ  Ｅｖｏｌｕｔｉｏｎ）において、ＵＥが頻繁に測定することを防止するために、ネットワークがＵＥに測定開始閾値ｓ−Ｍｅａｓｕｒｅを設定する。ＬＴＥのプロトコル標準において、Ｓ−Ｍｅａｓｕｒｅの定義はＵＥがいつ測定する必要があるかということである。５Ｇ又はＮＲにおいて、Ｓ−Ｍｅａｓｕｒｅの測定開始をサポートし、サービスセルの品質がＳ−Ｍｅａｓｕｒｅより高い場合、ＵＥが隣接セルのＩＤＬＥ  ＲＳ及びＣＳＩ−ＲＳを測定する必要がないが、ビームが導入されるため、ｓ−Ｍｅａｓｕｒｅによって測定（同一周波数測定及び異周波数測定を含む）を開始するだけで不十分である可能性があり、従って、５Ｇ又はＮＲにおいて、どのようにＵＥに必要な時刻に測定をタイムリーに開始させるかは解決すべき技術的問題である。
【手続補正２】
【補正対象書類名】明細書
【補正対象項目名】００２４
【補正方法】変更
【補正の内容】
【００２４】
図１を参照して、図１は本願の実施例に開示されるネットワークアーキテクチャの模式図である。図１に示されるネットワークアーキテクチャはユーザー装置１２０及びネットワーク機器１１０を備える。５Ｇ又はＮＲにおいて、Ｓ−Ｍｅａｓｕｒｅの測定開始をサポートし、Ｓ−Ｍｅａｓｕｒｅの定義はサービスセルの品質がＳ−Ｍｅａｓｕｒｅより高い場合、ユーザー装置が隣接セルのＩＤＬＥ  ＲＳ及びＣＳＩ−ＲＳを測定する必要がないということであり、しかしながら、ビームが導入されるため、ｓ−Ｍｅａｓｕｒｅによって測定を開始するだけで不十分である可能性がある。
【手続補正３】
【補正対象書類名】明細書
【補正対象項目名】００２６
【補正方法】変更
【補正の内容】
【００２６】
測定閾値はネットワーク機器１１０がユーザー装置１２０に設定したものであってもよいし、プロトコルに予め規定されたものであってもよい。
【手続補正４】
【補正対象書類名】明細書
【補正対象項目名】００３６
【補正方法】変更
【補正の内容】
【００３６】
具体的に、５Ｇ又はＮＲにおいて、Ｓ−Ｍｅａｓｕｒｅの測定開始をサポートし、Ｓ−Ｍｅａｓｕｒｅの定義はサービスセルの品質がＳ−Ｍｅａｓｕｒｅより高い場合、ＵＥが隣接セルのＩＤＬＥ  ＲＳ及びＣＳＩ−ＲＳを測定する必要がないということである。しかしながら、ビームが導入されるため、ｓ−Ｍｅａｓｕｒｅによって測定を開始するだけで不十分である可能性がある。従って、本案では、設定された測定閾値がセル品質及び／又はビーム数に関連し、ユーザー装置は測定を開始する前に、セル品質だけでなく、ビーム数も参照でき、セル品質のみを参照する場合に比べて、本案ではより多くのパラメータを参照し、このようにユーザー装置が測定を開始するかどうかを総合的に判断することができ、更にユーザー装置が必要な時刻に測定をタイムリーに開始する。
【手続補正５】
【補正対象書類名】明細書
【補正対象項目名】００５３
【補正方法】変更
【補正の内容】
【００５３】
また、セルビームの品質の測定はセルの検索を行うことを目的とし、セルを検索する目的はユーザー装置がシステムの時間同期及び周波数同期を実現するように確保することであり、従って、ユーザー装置はセルの検索を行う際に同期情報を受信することができ、従って、ネットワーク機器が第２ビーム数を同期情報によってユーザー装置に提供することにより、スケジューリングシグナリングを節約することができるだけでなく、ユーザー装置が開始時に第２ビーム数を取得することもできる。
【手続補正６】
【補正対象書類名】明細書
【補正対象項目名】００５５
【補正方法】変更
【補正の内容】
【００５５】
第２閾値がネットワーク機器に設定されたものであり、又は、第２閾値がプロトコルに予め規定されたものである。
【手続補正７】
【補正対象書類名】明細書
【補正対象項目名】００６６
【補正方法】変更
【補正の内容】
【００６６】
更に、異なるビーム数に対応するＸが同じである。例えば、ビーム数＝６、ビーム数＝７であると仮定する場合、Ｚがいずれも３に等しい。
【手続補正８】
【補正対象書類名】明細書
【補正対象項目名】００７８
【補正方法】変更
【補正の内容】
【００７８】
図３を参照して、図３には本発明の実施例に係るユーザー装置を示し、１つ又は複数のプロセッサ、１つ又は複数のメモリ、１つ又は複数の送受信機、及び１つ又は複数のプログラムを備え、
前記１つ又は複数のプログラムが前記メモリに記憶され、且つ前記１つ又は複数のプロセッサにより実行されるように設定され、
前記プログラムは、
セル品質及び／又は第１ビーム数に関連する測定閾値を取得し、
前記測定閾値の要件を満たす場合、測定を開始するステップを実行するための命令を含む。
【手続補正９】
【補正対象書類名】明細書
【補正対象項目名】００８８
【補正方法】変更
【補正の内容】
【００８８】
図４を参照して、図４には本発明の実施例に係るネットワーク機器を示し、１つ又は複数のプロセッサ、１つ又は複数のメモリ、１つ又は複数の送受信機、及び１つ又は複数のプログラムを備え、
前記１つ又は複数のプログラムが前記メモリに記憶され、且つ前記１つ又は複数のプロセッサにより実行されるように設定され、
前記プログラムは、
セル品質及び／又は第１ビーム数に関連する、ユーザー装置が測定を開始するかどうかを決定するための設定された測定閾値を送信するステップを実行するための命令を含む。
【手続補正１０】
【補正対象書類名】明細書
【補正対象項目名】００９８
【補正方法】変更
【補正の内容】
【００９８】
図５を参照して、図５は本実施例に係るユーザー装置の構造模式図である。該ユーザー装置は処理ユニット５０１、通信ユニット５０２及び記憶ユニット５０３を備え、
前記処理ユニット５０１は、セル品質及び／又は第１ビーム数に関連する測定閾値を取得し、前記測定閾値の要件を満たす場合、測定を開始することに用いられる。
【手続補正１１】
【補正対象書類名】明細書
【補正対象項目名】０１０１
【補正方法】変更
【補正の内容】
【０１０１】
図６を参照して、図６は本実施例に係るネットワーク機器の構造模式図である。該ネットワーク機器は処理ユニット６０１、通信ユニット６０２及び記憶ユニット６０３を備え、
前記処理ユニット６０１は、前記通信ユニット６０２によって、セル品質及び／又は第１ビーム数に関連する、ユーザー装置が測定を開始するかどうかを決定するための設定された測定閾値を送信することに用いられる。
【手続補正１２】
【補正対象書類名】特許請求の範囲
【補正対象項目名】全文
【補正方法】変更
【補正の内容】
【特許請求の範囲】
【請求項１】
測定方法であって、
ユーザー装置がセル品質及び／又は第１ビーム数に関連する測定閾値を取得することと、
前記測定閾値の要件を満たす場合、前記ユーザー装置が測定を開始することと、を含むことを特徴とする測定方法。
【請求項２】
前記測定閾値がセル品質測定閾値及びオフセット量に関連し、前記オフセット量が前記第１ビーム数の関数であることを特徴とする請求項１に記載の方法。
【請求項３】
前記第１ビーム数が第１閾値より大きい場合、前記測定閾値がセル品質測定閾値に関連することを特徴とする請求項１に記載の方法。
【請求項４】
前記オフセット量が前記第１ビーム数及び第２ビーム数に関連し、前記第１ビーム数が品質要件を満たすビーム数であり、前記第２ビーム数が前記ネットワーク機器から送信されたビーム数であることを特徴とする請求項２に記載の方法。
【請求項５】
前記第１ビーム数が第２閾値より小さい場合、前記オフセット量が前記第１ビーム数及びビーム数とオフセット量とのマッピング関係によって決定されることを特徴とする請求項２に記載の方法。
【請求項６】
前記測定閾値がセル品質測定閾値及び／又はビーム数測定閾値を含むことを特徴とする請求項１に記載の方法。
【請求項７】
前記測定閾値が前記セル品質測定閾値と前記ビーム数測定閾値を含む場合、前記セル品質測定閾値と前記ビーム数測定閾値のうちの少なくとも１つが要件を満たせば、前記ユーザー装置が測定を開始することを特徴とする請求項６に記載の方法。
【請求項８】
前記ビーム数測定閾値がビーム品質閾値を満たすビーム数の閾値であり、前記ビーム品質閾値がネットワーク機器の設定したものであり、又は、前記ビーム品質閾値が予め決められたものであることを特徴とする請求項６又は７に記載の方法。
【請求項９】
測定方法であって、
ネットワーク機器が、セル品質及び／又は第１ビーム数に関連する、ユーザー装置が測定を開始するかどうかを決定するための設定された測定閾値を送信することを含むことを特徴とする測定方法。
【請求項１０】
前記測定閾値がセル品質測定閾値及びオフセット量に関連し、前記オフセット量が前記第１ビーム数の関数であることを特徴とする請求項９に記載の方法。
【請求項１１】
前記第１ビーム数が第１閾値より大きい場合、前記測定閾値がセル品質測定閾値に関連することを特徴とする請求項９に記載の方法。
【請求項１２】
前記オフセット量が前記第１ビーム数及び第２ビーム数に関連し、前記第１ビーム数が品質要件を満たすビーム数であり、前記第２ビーム数が前記ネットワーク機器から送信されたビーム数であることを特徴とする請求項１０に記載の方法。
【請求項１３】
前記第１ビーム数が第２閾値より小さい場合、前記オフセット量が前記第１ビーム数及びビーム数とオフセット量とのマッピング関係によって決定されることを特徴とする請求項１０に記載の方法。
【請求項１４】
ユーザー装置であって、
請求項１〜８のいずれか一項に記載の方法におけるステップを実行するための処理ユニットを備えることを特徴とするユーザー装置。
【請求項１５】
ネットワーク機器であって、
通信ユニットを備え、
前記通信ユニットは、請求項９〜１３のいずれか一項に記載の方法におけるステップを実行することに用いられることを特徴とするネットワーク機器。
【国際調査報告】
2020529746.tif 000012
2020529746.tif 000013
2020529746.tif 000014
2020529746.tif 000015